(57)【要約】【課題】光路を確保しやすいヘッドアップディスプレイ装置を提供する。【解決手段】ヘッドアップディスプレイ装置は、表示光を出射する表示部と、鏡面３１ａに対して裏側に延びるレバー部を有し、回転軸Ａｘを中心に回転可能に支持され、表示部からの表示光をフロントガラスに向けて反射させるミラーユニット３０と、ミラーユニット３０を回転軸Ａｘを中心に回転させるミラー駆動ユニット４０と、を備える。ミラー駆動ユニット４０は、モータ４２と、モータ４２の駆動により軸回転するリードスクリュー４３ａと、レバー部を把持した状態でリードスクリュー４３ａに係合され、リードスクリュー４３ａの軸回転に伴いリードスクリュー４３ａの軸方向に沿って移動することによりミラーユニット３０を回転軸Ａｘを中心に回転させる把持部４３ｂと、を備える。ミラー駆動ユニット４０は、ミラーユニット３０の鏡面３１ａに対して裏側に設けられる。【選択図】図４
2020118835.tif 000002
【特許請求の範囲】
【請求項１】
表示光を出射する表示部と、
鏡面に対して裏側に延びるレバー部を有し、回転軸を中心に回転可能に支持され、前記表示部からの前記表示光を被投射部材に向けて反射させるミラーユニットと、
前記ミラーユニットを前記回転軸を中心に回転させるミラー駆動ユニットと、
前記ミラーユニット及び前記ミラー駆動ユニットを収容する筐体と、を備え、
前記ミラー駆動ユニットは、
モータと、
前記モータの駆動により軸回転するリードスクリューと、
前記レバー部を把持した状態で前記リードスクリューに係合され、前記リードスクリューの軸回転に伴い前記リードスクリューの軸方向に沿って移動することにより前記ミラーユニットを前記回転軸を中心に回転させる把持部と、を備え、
前記ミラー駆動ユニットは、前記ミラーユニットの鏡面に対して裏側に設けられる、
ヘッドアップディスプレイ装置。
【請求項２】
前記レバー部は前記回転軸に対して裏側に延び、
前記リードスクリューは高さ方向に延びる、
請求項１に記載のヘッドアップディスプレイ装置。
【請求項３】
前記ミラーユニットは、
前記表示光を反射させる凹面鏡と、
前記ミラーユニットにおける前記回転軸に沿う幅方向の一端側に設けられる第１軸部を有し、前記凹面鏡を支持する凹面鏡ホルダと、
前記幅方向の他端側に設けられ、前記凹面鏡ホルダに固定される軸部材と、
前記筐体の内部に固定され、前記凹面鏡ホルダを回転可能に前記第１軸部及び前記軸部材を支持する軸支持部材と、を備え、
前記軸部材は、
前記鏡面に対して裏側に延びる前記レバー部と、
前記軸支持部材により回転可能に支持される第２軸部と、を備える、
請求項１又は２に記載のヘッドアップディスプレイ装置。
【請求項４】
前記凹面鏡ホルダに前記軸部材を固定する締結ビスを備え、
前記締結ビスの頭部は、前記凹面鏡ホルダの裏側に位置する、
請求項３に記載のヘッドアップディスプレイ装置。
【発明の詳細な説明】
【技術分野】
【０００１】
本発明は、ヘッドアップディスプレイ装置に関する。
【背景技術】
【０００２】
従来から、表示光をフロントガラス等に照射することにより虚像を表示するヘッドアップディスプレイ装置が知られている。例えば、特許文献１に記載のヘッドアップディスプレイ装置は、ステッピングモータにより回転駆動されるリードスクリュー部と、リードスクリュー部の回転によりリードスクリュー部の軸方向に沿い移動し、被動力伝達部に動力を伝達する動力伝達手段と、を備える。被動力伝達部は、凹面鏡を保持するミラーホルダの下部に位置する垂下部であり、動力伝達手段からの動力により凹面鏡を回転させる。
例えば、特許文献２に記載のヘッドアップディスプレイ装置においては、モータにより歯車が回転駆動されると、歯車に噛み合うギア部が反射部材とともに回転軸線を中心に回転する。
【先行技術文献】
【特許文献】
【０００３】
【特許文献１】特開２０１０−２３０１５７号公報
【特許文献２】特開２０１６−１８０７９６号公報
【発明の概要】
【発明が解決しようとする課題】
【０００４】
上記特許文献１に記載のヘッドアップディスプレイ装置においては、特許文献１の図４に示すように、リードスクリュー部は凹面鏡の表側と裏側に及ぶ範囲に延びる。また、上記特許文献２に記載のヘッドアップディスプレイ装置においては、特許文献２の図２（ａ），（ｂ）に示すように、モータと歯車は、凹面鏡である反射部材の表側に位置する。
このように、上記特許文献１及び２の構成では、凹面鏡を駆動させるための機構が凹面鏡の表側に存在する。凹面鏡の表側は表示光が通過する光路となるため、当該機構により光路の確保が困難となっていた。
【０００５】
本発明は、上記実状を鑑みてなされたものであり、光路を確保しやすいヘッドアップディスプレイ装置を提供することを目的とする。
【課題を解決するための手段】
【０００６】
上記目的を達成するため、本発明に係るヘッドアップディスプレイ装置は、表示光を出射する表示部と、鏡面に対して裏側に延びるレバー部を有し、回転軸を中心に回転可能に支持され、前記表示部からの前記表示光を被投射部材に向けて反射させるミラーユニットと、前記ミラーユニットを前記回転軸を中心に回転させるミラー駆動ユニットと、前記ミラーユニット及び前記ミラー駆動ユニットを収容する筐体と、を備え、前記ミラー駆動ユニットは、モータと、前記モータの駆動により軸回転するリードスクリューと、前記レバー部を把持した状態で前記リードスクリューに係合され、前記リードスクリューの軸回転に伴い前記リードスクリューの軸方向に沿って移動することにより前記ミラーユニットを前記回転軸を中心に回転させる把持部と、を備え、前記ミラー駆動ユニットは、前記ミラーユニットの鏡面に対して裏側に設けられる。
【発明の効果】
【０００７】
本発明によれば、ヘッドアップディスプレイ装置において、光路を確保しやすい。
【図面の簡単な説明】
【０００８】
【図１】本発明の一実施形態に係るヘッドアップディスプレイ装置が搭載された車両の模式図である。
【図２】本発明の一実施形態に係るヘッドアップディスプレイ装置の概略図である。
【図３】本発明の一実施形態に係る上ケースが取り外されたヘッドアップディスプレイ装置の平面図である。
【図４】本発明の一実施形態に係るミラーユニット及びミラー駆動ユニットの斜視図である。
【図５】本発明の一実施形態に係るミラーユニット及びミラー駆動ユニットの分解斜視図である。
【図６】本発明の一実施形態に係るミラーユニット及びミラー駆動ユニットの一部を拡大した斜視図である。
【図７】本発明の一実施形態に係る軸支持部材の斜視図である。
【発明を実施するための形態】
【０００９】
本発明に係るヘッドアップディスプレイ装置の一実施形態について、図面を参照して説明する。
図１に示すように、ヘッドアップディスプレイ装置１００は、車両２００のダッシュボード内に設置される。ヘッドアップディスプレイ装置１００は、車両２００の被投射部材の一例であるフロントガラス２０１に向けて像を表す表示光Ｌを出射する。表示光Ｌはフロントガラス２０１で反射して視認者１（主に車両２００の運転者）に到達する。これにより、虚像Ｖが視認者１により視認可能に表示される。
【００１０】
図２及び図３に示すように、ヘッドアップディスプレイ装置１００は、表示部１０と、折り返しミラー２０と、ミラーユニット３０と、ミラー駆動ユニット４０と、筐体６０と、制御部７０と、を備える。
なお、以下の説明では、ミラーユニット３０の凹面鏡３１を正面から見たときの方向に基づき、左右、上下、表裏が規定されている。図３〜図７においては、左はＬｆと略記され、右はＲｔと略記され、上はＵｐと略記され、下はＤｎと略記され、表はＦｒと略記され、裏はＢｋと略記される。また、左右方向及び幅方向はＸ方向と一致し、上下方向はＹ方向と一致し、表裏方向はＺ方向に一致する。
【００１１】
図２に示すように、表示部１０は、制御部７０による制御のもと、像を表す表示光Ｌを出射する。表示部１０は、例えば、何れも図示しない光源及び液晶表示パネルを備える。
【００１２】
図３に示すように、折り返しミラー２０は、例えば平面鏡からなり、表示部１０が出射した表示光Ｌをミラーユニット３０に向けて反射させる。折り返しミラー２０は、ミラーユニット３０及び表示部１０と同一の高さに位置する。
【００１３】
図２に示すように、筐体６０は、遮光性の金属で形成されるとともに、中空の略直方体をなす。筐体６０内には、ヘッドアップディスプレイ装置１００の各構成が収納されている。
【００１４】
詳しくは、筐体６０は、上方向に向けて開口する箱状をなす下ケース６０ｂと、下ケース６０ｂの開口部を塞ぐ上ケース６０ａと、を備える。
上ケース６０ａは、矩形枠状に形成され、表示光Ｌが通過する開口部６１が形成される。上ケース６０ａの開口部６１には透光性カバー５０が設けられている。透光性カバー５０は、上ケース６０ａの開口部６１を塞ぐ湾曲した矩形板状をなす。透光性カバー５０は、表示光Ｌが透過するアクリル等の透光性樹脂からなる。
図３に示すように、下ケース６０ｂ内には、ミラーユニット３０、ミラー駆動ユニット４０、折り返しミラー２０及び表示部１０が収容される。下ケース６０ｂは、ミラー駆動ユニット４０と表示部１０の間を区切る区画壁６０ｃを備える。
【００１５】
図４及び図５に示すように、ミラーユニット３０は、表示光Ｌを反射させる凹面鏡３１と、凹面鏡３１の裏面を支持する凹面鏡ホルダ３５と、凹面鏡ホルダ３５に固定される軸部材３２と、凹面鏡ホルダ３５を回転可能に支持する軸支持部材３８，３９と、Ｕ字状の金属製のクリップ４９と、を備える。
【００１６】
凹面鏡３１は、凹面鏡３１の表面であり、表示光Ｌを反射する鏡面３１ａを備える。凹面鏡３１は、Ｘ方向に長い略長方形の板状に形成され、Ｘ方向に沿って湾曲している。凹面鏡３１は、鏡面３１ａにて折り返しミラー２０で反射した表示光Ｌをフロントガラス２０１に向けて拡大させつつ反射させる。
【００１７】
凹面鏡ホルダ３５は樹脂により凹面鏡３１の回転軸Ａｘに沿って湾曲する長方形の板状に形成される。凹面鏡ホルダ３５は、回転軸Ａｘに沿って配置される第１軸部３３及び軸板部３４を備える。
第１軸部３３は、凹面鏡ホルダ３５の右側の側面に位置し、回転軸Ａｘに沿って外側に延びる円柱状に形成される。第１軸部３３は、下ケース６０ｂ内に固定される軸支持部材３９により回転可能に支持される。
軸板部３４は、凹面鏡ホルダ３５の左側の側面に位置し、長方形の板状に形成される。軸板部３４には、図５に示すように、複数、例えば３つの位置決め孔３４ａと、複数、例えば２つのビス通孔３４ｂと、が形成される。
３つの位置決め孔３４ａは、貫通孔であり、Ｙ方向に長い２つの長孔及びＸ方向に長い１つの長孔からなる。２つのビス通孔３４ｂは、Ｙ方向に並べられ、図６に示す締結ビス３４ｎが通過する貫通孔からなる。
【００１８】
図４及び図５に示すように、軸部材３２は軸板部３４の表面に固定され、下ケース６０ｂ内に固定される軸支持部材３８により回転可能に支持される。
軸部材３２は、軸板部３４の表面に固定される固定部３２ｂと、固定部３２ｂよりも回転軸Ａｘの外側に位置する第２軸部３２ａと、クリップ４９が嵌まるクリップ係止部３２ｃと、図６に示すように、ミラー駆動ユニット４０の後述する把持部４３ｂに把持されるレバー部３２ｄと、を備える。
【００１９】
図５及び図６に示すように、固定部３２ｂは、位置決め孔３４ａに嵌まる複数、例えば３つの位置決めピン３２ｂ１と、締結ビス３４ｎが螺合されるビス孔部３２ｂ２と、を有する。各位置決めピン３２ｂ１は、固定部３２ｂの裏面に位置し、裏側に向かって延びる円柱状をなす。ビス孔部３２ｂ２は、表側に底部を有し、裏側に向けて開口する有底筒状をなし、孔内面にはねじが切られている。２つのビス孔部３２ｂ２は、１つの位置決めピン３２ｂ１を挟み込むようにＹ方向に沿って並べられる。締結ビス３４ｎは、軸板部３４のビス通孔３４ｂと固定部３２ｂのビス孔部３２ｂ２に嵌合されることにより、軸部材３２を軸板部３４に固定する。締結ビス３４ｎの頭部は、軸板部３４の裏面に位置する。
図５に示すように、クリップ係止部３２ｃは、Ｘ方向における固定部３２ｂと第２軸部３２ａの間に位置し、クリップ４９の一端が嵌まる孔部を有する。
図６に示すように、レバー部３２ｄは、クリップ係止部３２ｃの裏面に裏側に向かって延びる長方形板状をなす。レバー部３２ｄの厚さ方向はＹ方向に沿う。
【００２０】
図５に示すように、軸支持部材３８は、軸部材３２の左側に位置し、下ケース６０ｂの内底面に固定される。軸支持部材３８は、第２軸部３２ａの外周を囲む筒状をなす軸受部３８ａと、ミラー駆動ユニット４０が装着される装着部３８ｂと、を備える。
軸受部３８ａは第２軸部３２ａを回転可能に支持する。軸受部３８ａに第２軸部３２ａが嵌合された状態で、クリップ４９により第２軸部３２ａが軸受部３８ａに対してＸ方向に抜け止め状態とされる。
図６に示すように、装着部３８ｂは、ミラー駆動ユニット４０の後述する保持部材４５に固定された状態で下ケース６０ｂに固定される。図７に示すように、装着部３８ｂは、複数、例えば２つの凸部３８ｃと、複数、例えば２つのピン３８ｄと、を備える。凸部３８ｃ及びピン３８ｄは、装着部３８ｂにおける保持部材４５に対向する面に位置する。
【００２１】
凸部３８ｃは、円環状に形成され、端面が保持部材４５の第１板部４５ａに接触する。２つの凸部３８ｃはＹ方向に沿って並べられる。凸部３８ｃは、ミラー駆動ユニット４０の保持部材４５との接触面積を低減させることによりミラー駆動ユニット４０から下ケース６０ｂに振動が伝わる範囲を低減させる機能を有する。凸部３８ｃの中央には図６に示す締結ビス４５ｎが通過するビス通孔３８ｈが形成される。
また、下ケース６０ｂは金属、例えば、マグネシウムにより形成され、保持部材４５は金属、例えば、鉄により形成され、軸支持部材３８は樹脂により形成される。よって、軸支持部材３８は、下ケース６０ｂ及び保持部材４５よりも弾性変形しやすく、保持部材４５から伝わる振動を吸収し、その振動が下ケース６０ｂに伝わることを抑制する。
【００２２】
図７に示すように、２つのピン３８ｄは、２つの凸部３８ｃの間に、Ｙ方向に沿って並べられる。図６に示すように、２つのピン３８ｄは、後述する保持部材４５の第１板部４５ａに形成されるピン通孔４５ａ１に嵌まる。
【００２３】
図３に示すように、ミラー駆動ユニット４０は、表示光Ｌの光路から隠されるように、鏡面３１ａに対して裏側で、かつ左側に配置される。ミラー駆動ユニット４０は、区画壁６０ｃを介して表示部１０にＺ方向に隣接するように位置する。例えば、表示光Ｌの光路は、ミラーユニット３０の鏡面３１ａ、折り返しミラー２０の鏡面及び表示部１０の光出射面により囲まれた空間である。このため、ミラー駆動ユニット４０は、表示光Ｌの光路から独立した空間に配置される。
図６に示すように、ミラー駆動ユニット４０は、モータ４２と、モータ４２の回転運動を直線運動に変換する変換機構４３と、モータ４２及び変換機構４３を保持する保持部材４５と、位置検出部４７と、を備える。
変換機構４３はリードスクリュー４３ａ及び把持部４３ｂを有する。
保持部材４５は、モータ４２及びリードスクリュー４３ａを保持し、軸支持部材３８に固定される。保持部材４５は、Ｙ方向に延びる第１板部４５ａと、第１板部４５ａの上端から第１板部４５ａに直交する方向に延びる第２板部４５ｂと、第１板部４５ａの下端から第２板部４５ｂと同方向に延びる第３板部４５ｃと、を備える。
第１板部４５ａは軸支持部材３８の装着部３８ｂに固定されている。第１板部４５ａには、軸支持部材３８のピン３８ｄが通過するピン通孔４５ａ１と、締結ビス４５ｎが通過するビス通孔４５ａ２と、が形成される。ピン通孔４５ａ１にピン３８ｄが嵌まることにより、軸支持部材３８に対して保持部材４５が位置決めされる。また、締結ビス４５ｎが保持部材４５のビス通孔４５ａ２及び軸支持部材３８のビス通孔３８ｈに嵌合されることにより、軸支持部材３８に対して保持部材４５が固定される。
第２板部４５ｂの上面にはモータ４２が固定されている。モータ４２は、制御部７０の制御のもと駆動し、リードスクリュー４３ａを軸回転させる。
第２板部４５ｂと第３板部４５ｃの間には棒状のリードスクリュー４３ａが回転可能に支持されている。リードスクリュー４３ａの外周にねじが切られている。リードスクリュー４３ａはＹ方向に沿って延びる。
【００２４】
把持部４３ｂは、ミラーユニット３０のレバー部３２ｄをＹ方向から把持しつつ、リードスクリュー４３ａの外周に係合され、リードスクリュー４３ａの軸回転に伴いリードスクリュー４３ａの軸方向に沿って移動する。把持部４３ｂがリードスクリュー４３ａの軸方向（Ｙ方向）に沿って移動すると、レバー部３２ｄを介して凹面鏡ホルダ３５及び凹面鏡３１が回転軸Ａｘを中心に回転する。
詳しくは、把持部４３ｂは、レバー部３２ｄに点接触する接触凸部４３ｃと、レバー部３２ｄを接触凸部４３ｃに向けて押すクリップ部４３ｄと、を備える。クリップ部４３ｄは、金属製の板材がＶ字状に折り曲げられてなる。クリップ部４３ｄの先端は、Ｚ方向において、クリップ部４３ｄに対向するように位置する。接触凸部４３ｃは、レバー部３２ｄに向けて突出する半球状をなし、クリップ部４３ｄとともにレバー部３２ｄを挟み込む。
【００２５】
位置検出部４７は、把持部４３ｂがリードスクリュー４３ａの上部に到達したこと、すなわち、凹面鏡３１がパーキング位置に到達したことを検出し、その検出結果を制御部７０に出力する。位置検出部４７は、例えば、リードスクリュー４３ａの上部に到達した把持部４３ｂにより押されるプッシュスイッチである。
【００２６】
制御部７０は、ＣＰＵ（Central Processing Unit）、ＲＯＭ（Read Only Memory）及びＲＡＭ（Random Access Memory）等からなり、表示部１０及びモータ４２を制御する。制御部７０は、モータ７２を駆動させることにより、ミラーユニット３０を回転させる。
【００２７】
（効果）
以上、説明した第１の実施形態によれば、以下の効果を奏する。
【００２８】
（１）ヘッドアップディスプレイ装置１００は、表示光Ｌを出射する表示部１０と、鏡面３１ａに対して裏側に延びるレバー部３２ｄを有し、回転軸Ａｘを中心に回転可能に支持され、表示部１０からの表示光Ｌを被投射部材の一例であるフロントガラス２０１に向けて反射させるミラーユニット３０と、ミラーユニット３０を回転軸Ａｘを中心に回転させるミラー駆動ユニット４０と、ミラーユニット３０及びミラー駆動ユニット４０を収容する筐体６０と、を備える。ミラー駆動ユニット４０は、モータ４２と、モータ４２の駆動により軸回転するリードスクリュー４３ａと、レバー部３２ｄを把持した状態でリードスクリュー４３ａに係合され、リードスクリュー４３ａの軸回転に伴いリードスクリュー４３ａの軸方向に沿って移動することによりミラーユニット３０を回転軸Ａｘを中心に回転させる把持部４３ｂと、を備える。ミラー駆動ユニット４０は、ミラーユニット３０の鏡面３１ａに対して裏側に設けられる。
この構成によれば、ミラー駆動ユニット４０が鏡面３１ａに対して裏側に設けられるため、表示光Ｌの光路を確保しやすい。また、従来、ミラーユニットの裏側はデッドスペースであったため、そのデッドスペースにミラー駆動ユニット４０を設けることにより、ヘッドアップディスプレイ装置１００の小型化を図ることができる。
さらに、従来のように、ミラー駆動ユニットの一部が光路に露出している場合には、そのミラー駆動ユニットを光路から隠すブラインドカバーが必要となることが想定される。この点、上記構成によれば、ミラー駆動ユニット４０は光路に露出しづらいため、ブラインドカバーが不要となり、より簡易な構成を実現できる。
【００２９】
（２）レバー部３２ｄは回転軸Ａｘに対して裏側に延びる。リードスクリュー４３ａは高さ方向であるＹ方向に延びる。
この構成によれば、リードスクリュー４３ａはＹ方向に延びるため、ミラー駆動ユニット４０が鏡面３１ａの裏側に大型化することが抑制される。
【００３０】
（３）ミラーユニット３０は、表示光Ｌを反射させる凹面鏡３１と、ミラーユニット３０における回転軸Ａｘに沿う幅方向であるＸ方向の一端側（右端側）に設けられる第１軸部３３を有し、凹面鏡３１を支持する凹面鏡ホルダ３５と、Ｘ方向の他端側（左端側）に設けられ、凹面鏡ホルダ３５に固定される軸部材３２と、筐体６０の内部に固定され、凹面鏡ホルダ３５を回転可能に第１軸部３３及び軸部材３２を支持する軸支持部材３８，３９と、を備える。軸部材３２は、鏡面３１ａに対して裏側に延びるレバー部３２ｄと、軸支持部材３８により回転可能に支持される第２軸部３２ａと、を備える。
この構成によれば、第２軸部３２ａ及びレバー部３２ｄが１つの軸部材３２に設けられている。このため、ミラーユニット３０の大型化を抑制することができる。
【００３１】
（４）ヘッドアップディスプレイ装置１００は、凹面鏡ホルダ３５に軸部材３２を固定する締結ビス３４ｎを備え、締結ビス３４ｎの頭部は、凹面鏡ホルダ３５の軸板部３４の裏面に位置する。
この構成によれば、締結ビス３４ｎの頭部が表示光Ｌの光路に露出することが抑制され、これにより、迷光が発生することが抑制される。
【００３２】
（５）ヘッドアップディスプレイ装置１００は、モータ４２及びリードスクリュー４３ａを保持する保持部材４５を備える。軸支持部材３８は、保持部材４５に対向する面に形成され、保持部材４５に接触する凸部３８ｃを備える。
この構成によれば、凸部３８ｃにより軸支持部材３８と保持部材４５の接触面積を低減させることによりミラー駆動ユニット４０から筐体６０に振動が伝わる範囲を低減させる機能を有する。
【００３３】
なお、本発明は以上の実施形態及び図面によって限定されるものではない。本発明の要旨を変更しない範囲で、適宜、変更（構成要素の削除も含む）を加えることが可能である。以下に、変形の一例を説明する。
【００３４】
（変形例）
上記実施形態においては、軸板部３４と軸部材３２が別体で構成されていたが、これに限らず、軸板部３４と軸部材３２が一体で構成されてもよい。
【００３５】
上記実施形態においては、軸支持部材３８は凸部３８ｃを備えていたが、凸部３８ｃは省略されてもよい。
【００３６】
上記実施形態においては、モータ４２は、保持部材４５の第２板部４５ｂの上面に固定されていたが、これに限らず、保持部材４５の第３板部４５ｃの下面に固定されていてもよい。
上記実施形態においては、リードスクリュー４３ａはＹ方向に延びていたが、Ｚ方向に延びていてもよい。
上記実施形態においては、ミラー駆動ユニット４０は、鏡面３１ａに対して裏側で、かつ左側に配置されていたが、ミラー駆動ユニット４０は、鏡面３１ａの直ぐ裏側に配置されていてもよい。
上記実施形態においては、締結ビス３４ｎの頭部は、軸板部３４の裏面に位置していたが、固定部３２ｂの表面に位置していてもよい。
また、上記実施形態において、ミラー駆動ユニット４０は、ミラー駆動ユニット４０を光路から隠すブラインドカバーで覆われていてもよい。
【００３７】
上記実施形態におけるヘッドアップディスプレイ装置１００の構成は適宜変更可能である。例えば、折り返しミラー２０を省略して、表示部１０からの表示光Ｌを直接にミラーユニット３０に照射してもよい。また、ヘッドアップディスプレイ装置１００は、凹面鏡３１に代えて平面鏡を備えていてもよい。
【００３８】
上記実施形態では、ヘッドアップディスプレイ装置１００は車両２００に搭載されていたが、車両２００以外の飛行機、船等の乗り物に搭載されていてもよい。また、被投射部材はフロントガラス２０１に限らず、専用のコンバイナであってもよい。
【符号の説明】
【００３９】
１０  表示部
２０  折り返しミラー
３０  ミラーユニット
３１  凹面鏡
３１ａ  鏡面
３２  軸部材
３２ａ  第２軸部
３２ｂ  固定部
３２ｃ  クリップ係止部
３２ｂ１  位置決めピン
３２ｄ  レバー部
３３  第１軸部
３４  軸板部
３４ｎ  締結ビス
３５  凹面鏡ホルダ
３８，３９  軸支持部材
３８ａ  軸受部
３８ｂ  装着部
３８ｃ  凸部
３８ｄ  ピン
４０  ミラー駆動ユニット
４２  モータ
４３  変換機構
４３ａ  リードスクリュー
４３ｂ  把持部
４３ｃ  接触凸部
４３ｄ  クリップ部
４５  保持部材
４９  クリップ
５０  透光性カバー
６０  筐体
６０ａ  上ケース
６０ｂ  下ケース
７０  制御部
７２  モータ
１００  ヘッドアップディスプレイ装置
２００  車両
２０１  フロントガラス
Ｌ  表示光
Ｖ  虚像
Ａｘ  回転軸
【図１】
2020118835.tif 000003
【図２】
2020118835.tif 000004
【図３】
2020118835.tif 000005
【図４】
2020118835.tif 000006
【図５】
2020118835.tif 000007
【図６】
2020118835.tif 000008
【図７】
2020118835.tif 000009